(57)【要約】  アドホックモードにおける無線局の通信は複数のサブバンドに分割されている周波数帯域を使用して行われ、通信のために第１の無線局には１つまたは複数の第１のサブバンドが割り当てられ、第２の無線局には１つまたは複数のサブバンドが割り当てられている。第１の無線局は、意図されているデータ伝送の予告を第２の無線局に対して第１の数のサブバンドに対応する１つまたは複数のサブバンドにおいて送信し、第１の数のサブバンドのうちの１つまたは複数のサブバンドは、１つまたは複数の第１のサブバンドおよび／または１つまたは複数の第２のサブバンドから構成される。第２の無線局は、第２の数のサブバンドに対応する１つまたは複数のサブバンドにおける確認でもって応答し、第２の数のサブバンドのうちの１つまたは複数のサブバンドは１つまたは複数の第１のサブバンドおよび／または１つまたは複数の第２のサブバンドから構成される。
2007532040.tif 000002
【特許請求の範囲】
【請求項１】
無線通信システム（ＳＹＳ）のアドホックモードにおいて第１の無線局（ＭＳ１）から第２の無線局（ＭＳ２）へと意図されているデータ伝送に関してシグナリングを行う方法において、
−前記アドホックモードにおける無線局（ＭＳ１，ＭＳ２，ＭＳ３）の通信を複数のサブバンド（ＳＵＢ１，ＳＵＢ２，ＳＵＢ３）に分割されている周波数帯域を使用して行い、前記通信のために前記第１の無線局（ＭＳ１）に１つまたは複数の第１のサブバンド（ＳＵＢ１）を割り当て、前記第２の無線局（ＭＳ２，ＭＳ３）に１つまたは複数の第２のサブバンド（ＳＵＢ２，ＳＵＢ３）を割り当て、
−前記第１の無線局（ＭＳ１）は前記第２の無線局（ＭＳ２，ＭＳ３）に対して、前記意図されているデータ伝送の予告（ＲＴＳ）を第１の数のサブバンドに対応する１つまたは複数のサブバンド（ＳＵＢ１，ＳＵＢ２，ＳＵＢ３）において送信し、
前記第１の数のサブバンドのうちの１つまたは複数のサブバンドを、
・１つまたは複数の前記第１のサブバンド（ＳＵＢ１）、および／または、
・１つまたは複数の前記第２のサブバンド（ＳＵＢ２，ＳＵＢ３）から構成することを特徴とする、方法。
【請求項２】
前記第１の無線局（ＭＳ１）は前記予告（ＲＴＳ）の送信前に、複数の第１のサブバンド（ＳＵＢ１）および／または複数の第２のサブバンド（ＳＵＢ２，ＳＵＢ３）の目下の占有状態を検出し、
前記第１の数のサブバンドのうちの１つまたは複数のサブバンドを目下のところ占有されていないものとして検出された１つまたは複数のサブバンドから構成する、請求項１記載の方法。
【請求項３】
データ（ＤＡＴＡ）がただ１つの宛先としての前記第２の無線局（ＭＳ２）に送信されるべき場合における前記第１の数のサブバンドのうちの１つまたは複数のサブバンドを、少なくとも１つの第１のサブバンド（ＳＵＢ１）が目下のところ占有されていないと検出された際に、占有されていない１つまたは複数の第１のサブバンドの集合から構成する、請求項２記載の方法。
【請求項４】
データ（ＤＡＴＡ）がただ１つの宛先としての前記第２の無線局（ＭＳ２）に送信されるべき場合における前記第１の数のサブバンドのうちの１つまたは複数のサブバンドを、前記第１のサブバンド（ＳＵＢ１）が目下のところ占有されていると検出され、かつ少なくとも１つの第２のサブバンド（ＳＵＢ２，ＳＵＢ３）が目下のところ占有されていないと検出された際に、占有されていない１つまたは複数の第２のサブバンド（ＳＵＢ２，ＳＵＢ３）の集合から構成する、請求項２または３記載の方法。
【請求項５】
データ（ＤＡＴＡ）が前記第２の無線局（ＭＳ２）の他に、通信のために１つまたは複数の第３のサブバンド（ＳＵＢ３）が割り当てられている宛先としての第３の無線局（ＭＳ３）に送信されるべき場合における前記第１の数のサブバンドのうちの１つまたは複数のサブバンドを、少なくとも１つの第１のサブバンド（ＳＵＢ１）および少なくとも１つの第２のサブバンド（ＳＵＢ２）が目下のところ占有されていないと検出された際に、占有されていない１つまたは複数の第１のサブバンドの集合および占有されていない１つまたは複数の第２のサブバンド（ＳＵＢ１，ＳＵＢ２）の集合から構成する、請求項２から４までのいずれか１項記載の方法。
【請求項６】
データ（ＤＡＴＡ）が前記第２の無線局（ＭＳ２）の他に、通信のために１つまたは複数の第３のサブバンド（ＳＵＢ３）が割り当てられている宛先としての第３の無線局（ＭＳ３）に送信されるべき場合における前記第１の数のサブバンドのうちの１つまたは複数のサブバンドを、前記第１のサブバンド（ＳＵＢ１）が目下のところ占有されていると検出され、かつ少なくとも１つの第２のサブバンド（ＳＵＢ２）が目下のところ占有されていないと検出された際に、占有されていない１つまたは複数の第２のサブバンド（ＳＵＢ２）の集合から構成する、請求項２から５までのいずれか１項記載の方法。
【請求項７】
無線通信システム（ＳＹＳ）のアドホックモードにおいて第１の無線局（ＭＳ１）から第２の無線局（ＭＳ２）へと意図されているデータ（ＤＡＴＡ）の伝送に関してシグナリングを行う、例えば請求項１から６のいずれか１項による方法において、
−前記アドホックモードにおける無線局（ＭＳ１，ＭＳ２，ＭＳ３）の通信を複数のサブバンド（ＳＵＢ１，ＳＵＢ２，ＳＵＢ３）に分割されている周波数帯域を使用して行い、前記通信のために前記第１の無線局（ＭＳ１）に１つまたは複数の第１のサブバンド（ＳＵＢ１）を割り当て、前記第２の無線局（ＭＳ２，ＭＳ３）に１つまたは複数の第２のサブバンド（ＳＵＢ２，ＳＵＢ３）を割り当て、
−前記第２の無線局（ＭＳ２，ＭＳ３）は前記第１の無線局（ＭＳ１）から、該第１の無線局（ＭＳ１）から該第２の無線局（ＭＳ２，ＭＳ３）へと意図されているデータの伝送の予告（ＲＴＳ）を、第１の数のサブバンドに対応する１つまたは複数のサブバンドにおいて受信し、
−前記第２の無線局（ＭＳ２，ＭＳ３）は前記予告（ＲＴＳ）の受信後に前記第１の無線局（ＭＳ１）に対して、前記意図されているデータ伝送の確認（ＣＴＳ）を第２の数のサブバンドに対応する１つまたは複数のサブバンドにおいて送信し、
前記第２の数のサブバンドのうちの１つまたは複数のサブバンドを、
・１つまたは複数の前記第１のサブバンド（ＳＵＢ１）、および／または、
・１つまたは複数の前記第２のサブバンド（ＳＵＢ２，ＳＵＢ３）から構成することを特徴とする、方法。
【請求項８】
前記第２の無線局（ＭＳ２，ＭＳ３）は前記確認（ＣＴＳ）の送信前に、複数の第１のサブバンド（ＳＵＢ１）および／または複数の第２のサブバンド（ＳＵＢ２，ＳＵＢ３）の目下の占有状態を検出し、
前記第２の数のサブバンドのうちの１つまたは複数のサブバンドを、目下のところ占有されていないものとして検出された１つまたは複数のサブバンドから構成する、請求項７記載の方法。
【請求項９】
前記第１の数のサブバンドのうちの１つまたは複数のサブバンドは占有されていないと前記第２の無線局（ＭＳ２，ＭＳ３）により検出された場合の前記第２の数のサブバンドのうちの１つまたは複数のサブバンドは前記第１の数のサブバンドのうちの１つまたは複数のサブバンドに対応する、請求項８記載の方法。
【請求項１０】
前記第２の数のサブバンドのうちの１つまたは複数のサブバンドは、前記第１の数のサブバンドのうちの複数のサブバンドの部分集合の１つまたは複数のサブバンドが占有されておらず、かつ前記第１の数のサブバンドのうちの残りの１つまたは複数のサブバンドが占有されていると前記第２の無線局（ＭＳ２，ＭＳ３）により検出された場合には、前記第１の数のサブバンドのうちの複数のサブバンドの部分集合に対応する、請求項８記載の方法。
【請求項１１】
前記第１の無線局（ＭＳ１）は前記第２の無線局（ＭＳ２，ＭＳ３）に対して前記確認（ＣＴＳ）の受信後に、第３の数のサブバンドに対応する１つまたは複数のサブバンドにおいてデータ（ＤＡＴＡ）を送信し、
前記第３の数のサブバンドのうちの１つまたは複数のサブバンドを、
・１つまたは複数の第１のサブバンド（ＳＵＢ１）、および／または、
・１つまたは複数の第２のサブバンド（ＳＵＢ２，ＳＵＢ３）から構成する、請求項７から１０までのいずれか１項記載の方法。
【請求項１２】
前記第３の数のサブバンドのうちの１つまたは複数のサブバンドは、
−前記第１の数のサブバンドのうちの１つまたは複数のサブバンド、または、
−前記第１の数のサブバンドのうちの複数のサブバンドの部分集合、または、
−前記第２の数のサブバンドのうちの１つまたは複数のサブバンド、または、
−前記第２の数のサブバンドのうちの複数のサブバンドの部分集合に対応する、請求項１１記載の方法。
【請求項１３】
無線通信システム（ＳＹＳ）のアドホックモードにおいて他の無線局（ＭＳ２，ＭＳ３）と通信する無線局（ＭＳ１）において、
−複数のサブバンド（ＳＵＢ１，ＳＵＢ２，ＳＵＢ３）に分割されている周波数帯域において前記通信のために前記第１の無線局（ＭＳ１）に割り当てられている１つまたは複数の第１のサブバンド（ＳＵＢ１）に関する情報を記憶する手段（Ｍ１）と、
−前記周波数帯域において通信のために前記他の無線局（ＭＳ２，ＭＳ３）に割り当てられている１つまたは複数の第２のサブバンド（ＳＵＢ２,ＳＵＢ３）に関する情報を記憶する手段（Ｍ２）と、
−前記他の無線局（ＭＳ２，ＭＳ３）に対して意図されているデータ伝送の予告（ＲＴＳ）を、第１の数のサブバンドに対応する１つまたは複数のサブバンドにおいて前記他の無線局（ＭＳ２，ＭＳ３）に送信する手段（Ｍ３）とを有し、
前記第１の数のサブバンドのうちの１つまたは複数のサブバンドは、
・１つまたは複数の前記第１のサブバンド（ＳＵＢ１）、および／または、
・１つまたは複数の前記第２のサブバンド（ＳＵＢ２，ＳＵＢ３）から構成されていることを特徴とする、無線局（ＭＳ１）。
【請求項１４】
−前記予告（ＲＴＳ）の送信前に複数の第１のサブバンド（ＳＵＢ１）および／または複数の第２のサブバンド（ＳＵＢ２，ＳＵＢ３）の目下の占有状態を検出する手段（Ｍ４）と、
−複数の第１のサブバンド（ＳＵＢ１）および／または複数の第２のサブバンド（ＳＵＢ２，ＳＵＢ３）の占有状態の検出結果に依存して、前記第１の数のサブバンドのうちの１つまたは複数のサブバンドを選択する手段（Ｍ５）とを有する、請求項１３記載の無線局（ＭＳ１）。
【請求項１５】
無線通信システム（ＳＹＳ）のアドホックモードにおいて他の無線局（ＭＳ１）と通信する無線局（ＭＳ２，ＭＳ３）において、
−複数のサブバンド（ＳＵＢ１，ＳＵＢ２，ＳＵＢ３）に分割されている周波数帯域において前記通信のために前記無線局（ＭＳ２，ＭＳ３）に割り当てられている１つまたは複数の第１のサブバンド（ＳＵＢ２，ＳＵＢ３）に関する情報を記憶する手段（Ｍ７）と、
−前記周波数帯域において通信のために前記他の無線局（ＭＳ１）に割り当てられている１つまたは複数の第２のサブバンド（ＳＵＢ１）に関する情報を記憶する手段（Ｍ８）と、
−第１の数のサブバンドに対応する１つまたは複数のサブバンドにおいて前記他の無線局（ＭＳ１）から前記無線局（ＭＳ２，ＭＳ３）へと意図されているデータ伝送の前記他の無線局（ＭＳ１）からの予告を受信および評価する手段（Ｍ９）と、
−前記意図されているデータ伝送の確認（ＣＴＳ）を前記予告（ＲＴＳ）の受信後に、第２の数のサブバンドに対応する１つまたは複数のサブバンドにおいて前記他の無線局（ＭＳ１）に送信する手段（Ｍ１０）とを有し、
前記第２の数のサブバンドのうちの１つまたは複数のサブバンドは、
・１つまたは複数の前記第１のサブバンド（ＳＵＢ１）、および／または、
・１つまたは複数の前記第２のサブバンド（ＳＵＢ２，ＳＵＢ３）から構成されていることを特徴とする、無線局（ＭＳ２，ＭＳ３）。
【請求項１６】
−前記確認（ＣＴＳ）の送信前に複数の第１のサブバンド（ＳＵＢ１）および／または複数の第２のサブバンド（ＳＵＢ２，ＳＵＢ３）の目下の占有状態を検出する手段（Ｍ１１）と、
−複数の第１のサブバンド（ＳＵＢ１）および／または複数の第２のサブバンド（ＳＵＢ２，ＳＵＢ３）の占有状態の検出結果に依存して、かつ前記第１の数のサブバンドのうちの１つまたは複数のサブバンドに依存して、前記第２の数のサブバンドのうちの１つまたは複数のサブバンドを選択する手段（Ｍ１２）とを有する、請求項１５記載の無線局（ＭＳ２，ＭＳ３）。
【請求項１７】
複数のサブバンド（ＳＵＢ１，ＳＵＢ２，ＳＵＢ３）に分割されている周波数帯域において通信のために無線局（ＭＳ１）に割り当てられている１つまたは複数の第１のサブバンド（ＳＵＢ１）および／または通信のために他の無線局（ＭＳ２，ＭＳ３）に割り当てられている１つまたは複数の第１のサブバンドからなり、前記無線局（ＭＳ１）により前記他の無線局（ＭＳ２，ＭＳ３）に対して意図されているデータ伝送の予告（ＲＴＳ）を前記他の無線局（ＭＳ２，ＭＳ３）に送信するために使用されるべき１つまたは複数のサブバンド（ＳＵＢ１，ＳＵＢ２，ＳＵＢ３）を選択する、無線通信システム（ＳＹＳ）のアドホックモードにおける無線局（ＭＳ１）用のコンピュータプログラム製品。
【請求項１８】
複数のサブバンド（ＳＵＢ１，ＳＵＢ２，ＳＵＢ３）に分割されている周波数帯域において通信のために無線局（ＭＳ２，ＭＳ３）に割り当てられている１つまたは複数の第１のサブバンド（ＳＵＢ２，ＳＵＢ３）および／または通信のために他の無線局（ＭＳ１）に割り当てられている１つまたは複数の第２のサブバンド（ＳＵＢ１）からなり、前記他の無線局（ＭＳ１）により前記無線局（ＭＳ２，ＭＳ３）に対して意図されているデータ伝送の確認（ＣＴＳ）を前記他の無線局（ＭＳ１）に送信するために使用されるべき１つまたは複数のサブバンド（ＳＵＢ１，ＳＵＢ２，ＳＵＢ３）を選択する、無線通信システム（ＳＹＳ）のアドホックモードにおける無線局（ＭＳ２，ＭＳ３）用のコンピュータプログラム製品。
【発明の詳細な説明】
【技術分野】
【０００１】
本発明は、無線通信システムのアドホックモードにおいて第１の無線局から第２の無線局へと意図されているデータ伝送に関してシグナリングするための方法に関する。
【０００２】
さらに本発明は、無線通信システムのアドホックモードにおいて別の無線局と通信するための無線局および無線通信システムのアドホックモードにおける無線局のためのコンピュータプログラム製品に関する。
【０００３】
無線通信システムにおいては、情報（例えばシグナリング、もしくは音声、画像、ショートメッセージまたは他のデータのような有効データ）が送信を行う無線局と受信を行う無線局との間で電磁波により無線インタフェースを介して伝送される。
【０００４】
無線通信システムは頻繁に、例えばＧＳＭ（Global System for Mobile Communication）標準またはＵＭＴＳ標準（Universal Mobile Telecommunications System）に準拠したセルラシステムとして、複数の基地局、それらの基地局を監視および制御する機構ならびに他のネットワーク側の装置からなるネットワークインフラストラクチャによって構築されている。セルラＧＳＭ移動無線システムに関しては９００，１８００および１９００ＭＨｚの周波数が使用される。セルラシステムは現在のところ、実質的に音声、テレファックスおよびショートメッセージＳＭＳ（Short Message Service）を伝送している。
【０００５】
広範囲で編成されている（局所的ではない）セルラ式でヒエラルキ的なこれらの無線ネットワーク以外にも、通常の場合空間的に明確にはっきりと境界付けされている無線占有領域を有する無線ローカルネットワーク（ＷＬＡＮ；Wireless Local Area Network）も存在する。ＷＬＡＮの無線アクセスポイント（ＡＰ：アクセスポイント）によってカバーされるセルは数百メートルまでの直径を有しているが、これは通常の移動無線セルに比べて小さいものである。ＷＬＡＮに関する種々の標準の例としてハイパーＬＡＮ、ＤＥＣＴ、ＩＥＥＥ８０２．１１、ブルートゥースおよびＷＡＴＭが挙げられる。しかしながら局所的な無線支援型のネットワークとしては、目下のところ殊にアメリカ合衆国および欧州においてはＩＥＥＥ８０２．１１ファミリーを基礎とする製品がほぼ定着しているように思われる。
【０００６】
一般的にＷＬＡＮに関してはライセンスが与えられていない２．４ＧＨｚ付近の周波数領域が使用され、この場合データ伝送率は１１Ｍビット／秒までになる。将来のＷＬＡＮは５ＧＨｚの範囲で動作し、また５０Ｍビット秒を上回るデータレートを達成することができる。つまりこのＷＬＡＮの加入者は、移動無線の第３世代によって提供されるデータレートよりも遥かに高いデータレートを使用する。したがって、殊にインターネットアクセスと関連する大容量のデータの伝送に関しては、高ビットレートのコネクションのためのＷＬＡＮへのアクセスが有利である。
【０００７】
セルラ移動無線通信システムの加入者側の無線局間での通信は通常の場合基地局を介して行われるが、無線通信システムのアドホックモードにおいては、加入者側の無線局は交換中央装置を必要とすることなく無線コネクションを相互に確立することができる。その際、これらの無線局間のコネクションは直接的に確立されるか、または比較的距離がある場合には、このコネクションに関して中継局をなす別の無線局を介して行われる。自己組織化ネットワークの無線局として移動無線局（例えば人間が所有する移動無線機器または交通車両内の移動無線機器）および／または主として定置型の無線局（例えばコンピュータ、プリンタ、家庭用機器）が考えられる。アドホックネットワークの構成要素であるためには、無線局は隣接する少なくとも１つの無線局の無線占有領域内に存在している必要がある。自己組織化ネットワークの例はＷＬＡＮである。
【０００８】
伝送媒体の共通の無線リソース、例えば時間、空間、周波数、電力または空間への無線局へのアクセスは、無線通信システムにおいては多重アクセス（Multiple Access、ＭＡ）方式によって制御される。直交周波数多重アクセス方法（ＯＦＤＭ）においては、周波数帯域が等間隔の直行するサブバンドないしサブキャリアに分割される。ここでは通常の場合、加入者側の無線局には全てのサブバンドまたはサブバンドの一部が通信のために割り当てられる。
【０００９】
本発明が基礎とする課題は、無線通信システムのアドホックモードにおいてのデータ伝送に先立ち、送信側無線局と受信側無線局との間でのシグナリングの効率的な経過を実現する、冒頭で述べたような方法を提供することである。さらに本方法を実施するための加入者側の無線局ならびにアドホックモードにおける無線局に適したコンピュータプログラム製品も提供されるべきである。
【００１０】
この課題は方法に関しては請求項１の特徴を備えた方法によって解決される。
【００１１】
有利な実施形態および発展形態は従属請求項に記載されている。
【００１２】
本方法においては、無線通信システムのアドホックモードにおいて第１の無線局から第２の無線局へと意図されているデータ伝送がシグナリングされる。本発明によれば、アドホックモードにおける無線局の通信は複数のサブバンドに分割されている周波数帯域を使用して行われ、通信のために第１の無線局には１つまたは複数の第１のサブバンドが割り当てられ、第２の無線局には１つまたは複数のサブバンドが割り当てられている。さらには、第１の無線局が第２の無線局に対して、意図されているデータ伝送の予告を第１の数のサブバンドに対応する１つまたは複数のサブバンドにおいて送信する。第１の数のサブバンドのうちの１つまたは複数のサブバンドは、１つまたは複数の第１のサブバンドおよび／または１つまたは複数の第２のサブバンドから構成される。
【００１３】
無線通信システムのアドホックモードにおいては加入者側の無線局、例えばモバイルコンピュータまたは移動電話が、ネットワーク側の装置による中間的な切換えなしで通信を行う。通信のために本発明による無線局には周波数帯域の複数のサブバンドが割り当てられており、この割り当てを例えば基地局またはＷＬＡＮの無線アクセスポイントによって行うことができる。本方法を殊に、第１の無線局に割り当てられている１つまたは複数の第１のサブバンドと第２の無線局に割り当てられている１つまたは複数の第２のサブバンドが相互に異なっている場合に適用することができる。意図されているデータ伝送の第１の無線局による予告でもって、第２の無線局には第１の無線局がデータをこの第２の無線局に送信することを計画していることが知らされる。ここで予告は、送信されるべきデータの種類および量、またデータ送信の持続時間、データの送信局および宛先および第１の無線局がデータの伝送を計画しているサブバンドに関する情報を包含することができる。予告により、第１の無線局の無線占有領域内にいてこの予告を受信する無線局は、第１の数のサブバンドにおいて予告に使用される複数のサブバンドが第１の無線局のデータ伝送のために予約されているとみなすことができ、したがってこのデータ伝送に関する期間においてはこれらのサブバンドへのアクセスを行わない。
【００１４】
本発明の実施形態においては、第１の無線局が予告の送信前に第１のサブバンドおよび／または第２のサブバンドの目下の占有状態を検出し、また第１の数のサブバンドのうちの１つまたは複数のサブバンドは目下のところ占有されていないものとして検出されている１つまたは複数のサブバンドから構成される。検出に基づいて第１の無線局は、複数の第１のサブバンドおよび／または複数の第２のサブバンドがこの第１の無線局の無線占有領域において他の無線局によって目下のところ通信のために予約されているか否か、または通信のために使用されているか否かを識別することができる。検出は第１のサブバンドおよび第２のサブバンドの全てのサブバンド、またこれらのサブバンドの部分集合に関するものでよい。目下のところ占有されていないものとして検出されている複数のサブバンドにおいて専ら予告を送信するということは、他の無線局から送信される信号に対する干渉信号が第１の無線局の無線到達範囲においてはこの第１の無線局によっては形成されないという利点を有する。
【００１５】
データがただ１つの宛先としての第２の無線局に送信されるべき場合、第１の数のサブバンドのうちの１つまたは複数のサブバンドを、少なくとも１つの第１のサブバンドが目下のところ占有されていないものとして検出された際に、占有されていない１つまたは複数の第１のサブバンドの集合から構成することができる。このことは、第１の無線局に割り当てられている複数のサブバンドのうちの少なくとも１つのサブバンドを目下のところ使用できる場合には、第１の無線局がこの第１の無線局に割り当てられている１つまたは複数の自由なサブバンドを予告の送信のために専ら使用するということを意味している。このことは、複数のサブバンドが割り当てられた無線局による複数のサブバンドの使用状況の実際の評価にとって好適である。
【００１６】
データがただ１つの宛先としての第２の無線局に送信されるべき場合には、第１の数のサブバンドのうちの１つまたは複数のサブバンドを、複数の第１のサブバンドが目下のところ占有されていると検出され、かつ少なくとも１つの第２のサブバンドが目下のところ占有されていないと検出された際に、占有されていない１つまたは複数の第２のサブバンドの集合から構成することができる。したがってここでは、第１の無線局に割り当てられている全てのサブバンドが自由でない場合には、第２の無線局に割り当てられている複数のサブバンドにおいて目下のところ占有されていない１つまたは複数のサブバンドに切換えられる。
【００１７】
データが第２の無線局の他に、通信のために１つまたは複数の第３のサブバンドが割り当てられている宛先としての第３の無線局に送信されるべき場合には、第１の数のサブバンドのうちの１つまたは複数のサブバンドを、少なくとも１つの第１のサブバンドおよび少なくとも１つの第２のサブバンドが目下のところ占有されていないものとして検出された際に、占有されていない１つまたは複数の第１のサブバンドの集合および占有されていない１つまたは複数の第２のサブバンドの集合から構成することができる。前述の場合には、データが第２の無線局によってのみ受信されるのでなく、１つまたは複数の第３の無線局によっても受信されるべきである。第３の無線局には通信のために第３のサブバンドが割り当てられており、この第３のサブバンドは通常の場合第１のサブバンドおよび第２のサブバンドとは異なるものである。第１の無線局が、複数の第１のサブバンドの少なくとも１つの部分集合および複数の第２のサブバンドの少なくとも１つの部分集合を目下のところ通信のために使用できることを確認すると、第１の無線局は予告を第１のサブバンドのうちの少なくとも１つのサブバンドにおいても、第２のサブバンドのうちの少なくとも１つのサブバンドにおいても送信する。
【００１８】
これに対して、データが第２の無線局の他に宛先としての第３の無線局に送信されるべきであり、かつ複数の第１のサブバンドは占有されているものとして検出されたが、少なくとも１つの第２のサブバンドは目下占有されていないものとして検出されている場合には、第１の数のサブバンドのうちの１つまたは複数のサブバンドを占有されていない１つまたは複数の第２のサブバンドの集合から構成することができる。
【００１９】
方法に関する前述の課題は、さらに請求項７の特徴を有する方法によって解決される。
【００２０】
有利な実施形態および発展形態は従属請求項に記載されている。
【００２１】
本発明によれば、第２の無線局が第１の無線局から、第１の数のサブバンドに対応する１つまたは複数のサブバンドにおいて、第１の無線局から第２の無線局へと意図されているデータ伝送の予告を受信する。予告を受信すると第２の無線局は第１の無線局に対して、第２の数のサブバンドに対応する１つまたは複数のサブバンドにおいて、意図されているデータ伝送の確認を送信する。第２の数のサブバンドのうちの１つまたは複数のサブバンドは、１つまたは複数の第１のサブバンドおよび／または１つまたは複数の第２のサブバンドから構成される。
【００２２】
意図されているデータ伝送の第２の無線局による確認によって、第１の無線局には第２の無線局はデータを受信する準備ができているということが示される。この第２の無線局の確認により、第２の数のサブバンドのうちの複数のサブバンドは予約されているということを他の無線局に対して示すことができる。したがって、他の無線局は第２の無線局の無線到達範囲内では第２の数のサブバンドのうちの１つまたは複数のサブバンドにおいてデータを伝送しない。このことは他の無線局が確認の内容を得ることができる期間にわたり有効である。
【００２３】
本発明の実施形態においては、第２の無線局が確認の送信前に複数の第１のサブバンドおよび／または複数の第２のサブバンドの目下の占有状態を検出し、また第２の数のサブバンドのうちの１つまたは複数のサブバンドは目下のところ占有されていないものとして検出されている１つまたは複数のサブバンドから構成される。第２の無線局による検出は、複数の第１のサブバンドおよび／または複数の第２のサブバンドの部分集合または全てのサブバンドに関する。
【００２４】
また、第２の無線局による検出を第１の数のサブバンドのうちの１つまたは複数のサブバンドに制限することができる。確認は検出に続いて、第２の無線局の無線占有領域においては目下のところ使用されていない、または予約されていないサブバンドにおいてのみ送信される。予約は例えば、他の無線局による予告および／または確認がそれぞれのサブバンドにおいて送信されることによって行うことができる。
【００２５】
第１の数のサブバンドのうちの１つまたは複数のサブバンドが第２の無線局によって占有されていないものとして検出された場合には、第２の数のサブバンドのうちの１つまたは複数のサブバンドを第１の数のサブバンドのうちの１つまたは複数のサブバンドに対応させることができる。この場合第２の無線局は、第１の無線局が予告の送信のために使用した全てのサブバンドにおいて確認を送信する。このことは、予告により第１の無線局によって予約された複数のサブバンドに関して、第２の無線局により最大限可能な数のサブバンドの予約に対応する。
【００２６】
有利には、第２の数のサブバンドのうちの１つまたは複数のサブバンドは、第２の無線局により第１の数のサブバンドのうちの複数のサブバンドの部分集合の１つまたは複数のサブバンドが占有されていないものとして検出され、かつ第１のサブバンドのうちの残りの１つまたは複数のサブバンドが占有されているものとして検出された場合、第１の数のサブバンドのうちの複数のサブバンドの部分集合に対応する。また第２の無線局が予告のために使用された複数のサブバンドのうちの一方のサブバンドは自由であるが、他方のサブバンドは目下のところ占有されていることを確認すると、確認の送信は自由であると識別されたサブバンドにおいて行われる。
【００２７】
本発明の実施形態においては、第１の無線局が確認の受信後に第２の無線局に対して、第３の数のサブバンドに対応する１つまたは複数のサブバンドにおいてデータを送信し、第３の数のサブバンドのうちの１つまたは複数のサブバンドは、１つまたは複数の第１のサブバンドおよび／または１つまたは複数の第２のサブバンドから構成される。第２の無線局による確認の送信が行われない場合、つまり例えば第２の無線局が全ての第１のサブバンドおよび全ての第２のサブバンドを占有されているものとして検出する場合には、有利には第１の無線局によるデータの送信も行われない。
【００２８】
本発明の実施形態においては、第３の数のサブバンドのうちの１つまたは複数のサブバンドは、
−第１の数のサブバンドのうちの１つまたは複数のサブバンド、または、
−第１の数のサブバンドのうちの複数のサブバンドの部分集合、または、
−第２の数のサブバンドのうちの１つまたは複数のサブバンド、または、
−第２の数のサブバンドのうちの複数のサブバンドの部分集合に対応する。
【００２９】
したがってどのサブバンドがデータの送信のために使用されるかの選択は、予告および／または確認のために使用された複数のサブバンドの選択に依存する。
【００３０】
無線通信システムのアドホックモードにおいて他の無線局と通信するための無線局に関する前述の課題は、請求項１３の特徴を備えた無線局によって解決される。
【００３１】
有利な実施形態は従属請求項に記載されている。
【００３２】
本発明による無線局は複数のサブバンドに分割された周波数帯域において通信のために無線局に割り当てられている１つまたは複数の第１のサブバンドに関する情報を記憶する手段と、周波数帯域において通信のために別の無線局に割り当てられている１つまたは複数の第２のサブバンドに関する情報を記憶する手段とを有する。記憶されている情報は、無線局がこの情報を使用して複数の第１のサブバンドにおいても複数の第２のサブバンドにおいても他の無線局との通信を実施できるように構成されている。さらに無線局は、他の無線局に対して意図されているデータ伝送の予告を、第１の数のサブバンドに対応する１つまたは複数のサブバンドにおいて他の無線局に送信するための手段を有する。第１の数のサブバンドのうちの１つまたは複数のサブバンドは、１つまたは複数の第１のサブバンドおよび／または１つまたは複数の第２のサブバンドから構成される。
【００３３】
本発明の実施形態においてはさらに無線局が、予告の送信前に複数の第１のサブバンドおよび／または複数の第２のサブバンドの目下の占有状態を検出する手段と、複数の第１のサブバンドおよび／または複数の第２のサブバンドの占有状態の検出結果に依存して第１の数のサブバンドのうちの１つまたは複数のサブバンドを選択する手段とを有する。
【００３４】
本発明による無線局は、本発明による方法を実施することに殊に適している。このために無線局は適切な別の手段を有することができる。
【００３５】
無線通信システムのアドホックモードにおいて他の無線局と通信するための無線局に関する前述の課題は、さらに請求項１５の特徴を備えた無線局によって解決される。
【００３６】
有利な実施形態は従属請求項に記載されている。
【００３７】
本発明による無線局は、複数のサブバンドに分割されている周波数帯域において通信のために無線局に割り当てられている１つまたは複数の第１のサブバンドに関する情報を記憶する手段と、周波数帯域において通信のために別の無線局に割り当てられている１つまたは複数の第２のサブバンドに関する情報を記憶するための手段とを有する。さらに無線局は、サブバンドの第１の数に対応する１つまたは複数のサブバンドにおいて他の無線局からこの無線局へと意図されているデータ伝送の他の無線局からの予告を受信および評価するための手段を有する。最後に、本発明による無線局は、予告の受信後にサブバンドの第２の数に対応する１つまたは複数のサブバンドにおいて意図されているデータ伝送の確認を他の無線局に対して送信する手段を有し、第２の数のサブバンドのうちの１つまたは複数のサブバンドは、１つまたは複数の第１のサブバンドおよび／または１つまたは複数の第２のサブバンドから構成される。
【００３８】
本発明の実施形態においては、さらに無線局が予告を送信する前に複数の第１のサブバンドおよび／または複数の第２のサブバンドの目下の占有状態を検出する手段と、複数の第１のサブバンドおよび／または複数の第２のサブバンドの占有状態の検出結果に依存して、かつ第１の数のサブバンドのうちの１つまたは複数のサブバンドに依存して、第２の数のサブバンドのうちの１つまたは複数のサブバンドを選択する手段とを有する。したがって無線局は、他の無線局が予告の送信のためにどのサブバンドを使用したかに依存して、確認の送信に使用されるサブバンドを選択することができる。
【００３９】
本発明による無線局は本発明による方法を実施することに殊に適しており、またこのために別の適切な手段を有することができる。殊に無線局は、請求項１３および１４による前述の本発明による無線局の手段も、請求項１５および１６による前述の本発明による無線局の手段も有することができる。
【００４０】
無線通信システムのアドホックモードにおける無線局のためのコンピュータプログラム製品に関する前述の課題は、請求項１７の特徴を有するコンピュータプログラム製品によって解決される。
【００４１】
本発明によるコンピュータプログラム製品は、複数のサブバンドに分割されている周波数帯域において通信のために無線局に割り当てられている１つまたは複数の第１のサブバンドおよび／または通信のために他の無線局に割り当てられている１つまたは複数の第２のサブバンドからなり、無線局により他の無線局に対して意図されているデータ伝送の予告をこの他の無線局に送信するために使用されるべき１つまたは複数のサブバンドを選択するために使用される。
【００４２】
無線通信システムのアドホックモードにおける無線局のためのコンピュータプログラム製品に関する前述の課題は、請求項１８の特徴を有するコンピュータプログラム製品によって解決される。
【００４３】
本発明によるコンピュータプログラムは、複数のサブバンドに分割されている周波数帯域において通信のために無線局に割り当てられている１つまたは複数の第１のサブバンドおよび／または通信のために他の無線局に割り当てられている１つまたは複数の第２のサブバンドからなり、他の無線局により無線局に対して意図されているデータ伝送の確認をこの他の無線局に送信するために使用されるべき１つまたは複数のサブバンドを選択するために使用される。
【００４４】
本発明によるコンピュータプログラム製品は殊に本発明による方法を実施することに適しており、またこのために別の適切な手段を有することができる。殊にコンピュータプログラム製品は、請求項１７による前述の本発明によるコンピュータプログラム製品の機能も、請求項１８による前述の本発明によるコンピュータプログラム製品の機能も包含することができる。
【００４５】
本発明との関係においてコンピュータプログラム製品とは、（プログラムと計算ユニットとの間の通常の物理的な相互作用を超える技術的な作用を有する）本来のコンピュータプログラムの他に、殊にコンピュータプログラム用の記録媒体、ファイルコレクション、コンフィギュレーションされた計算ユニットであると解されるが、例えばコンピュータプログラムに関連する１つまたは複数のファイルが記憶されている記憶装置またはサーバであるとも解される。
【００４６】
以下では本発明を実施例に基づき詳細に説明する。ここで
図１は無線通信システムを示し、
図２はＩＥＥＥ８０２．１１による無線リソースへのアクセスに関する従来技術を示し、
図３ａは複数のサブバンドにおける信号の本発明による送信の第１の実現形態を概略的に示し、
図３ｂは複数のサブバンドにおける信号の本発明による送信の第２の実現形態を概略的に示し、
図３ｃは複数のサブバンドにおける信号の本発明による送信の第３の実現形態を概略的に示し、
図３ｄは複数のサブバンドにおける信号の本発明による送信の第４の実現形態を概略的に示し、
図４は本発明による第１の無線局を示し、
図５は本発明による第２の無線局を示す。
【００４７】
図１は無線通信システムＳＹＳを示し、この無線通信システムＳＹＳは移動局ＭＳ１、ＭＳ２およびＭＳ３ならびに１つの基地局ＢＳを包含する。無線通信システムはさらなる移動局を有することもできるが、そのような移動局は分かりやすくするため図１には示していない。基地局とコアネットワークとのコネクションも図１には示していない。考察する無線通信システムＳＹＳにおいてはアドホックモードが存在し、このアドホックモードにおいて移動局ＭＳ１，ＭＳ２およびＭＳ３は基地局ＢＳによるデータの転送を必要とすることなく相互に直接的に通信することができる。
【００４８】
アドホックモードにおいて通信するために、移動局ＭＳ１，ＭＳ２およびＭＳ３はＯＦＤＭ伝送方法を使用する。ここでは１つの周波数帯域が複数のサブバンドに分割され、複数のサブバンドが通信のために移動局ＭＳ１，ＭＳ２およびＭＳ３に割り当てられる。サブバンドの移動局ＭＳ１，ＭＳ２およびＭＳ３へのこの割り当ては基地局ＢＳによって行われる。このために基地局ＢＳは無線リソースを管理するための装置と接続されている。サブバンドの割り当てに際して移動局には１つまたは複数のサブバンドを割り当てることができる。さらには１つのサブバンドを複数の移動局に割り当てることが可能である。複数のサブバンドの移動局への割り当ては動的に行われる。つまり、例えば個々の移動局の要求に依存して、移動局に割り当てられる複数のサブバンドを時間と共に変更することができる。図１においては目下のところ、移動局ＭＳ１にはサブバンドＳＵＢ１が割り当てられており、移動局ＭＳ２にはサブバンドＳＵＢ２が割り当てられており、移動局ＭＳ３にはサブバンドＳＵＢ３が割り当てられている。サブバンドＳＵＢ１，ＳＵＢ２およびＳＵＢ３は相互に異なるものであるが、例えば移動局ＭＳ１の近傍に、同じサブバンドＳＵＢ１が割り当てられた別の移動局が存在することも可能である。
【００４９】
基地局ＢＳは移動局ＭＳ１，ＭＳ２およびＭＳ３にそれらの移動局に隣接する移動局に割り当てられているサブバンドも通知する。隣接する移動局とは、他の移動局のそれぞれの無線占有領域内に存在し、その結果他の移動局によってデータが転送されることなく１回のホップで通信を行うことができる移動局と解される。つまり移動局ＭＳ１には例えば、移動局ＭＳ２にサブバンドＳＵＢ２が割り当てられており、また移動局ＭＳ３にはサブバンドＳＵＢ３が割り当てられていることが既知である。データが送信側移動局から、隣接していない離れた受信側移動局に送信されるべき場合には、送信側移動局はデータをこの送信側移動局に隣接する移動局に送信し、この隣接する移動局はデータを再びこの移動局に隣接する移動局に転送し、この転送はデータが受信側移動局に到達するまで行われる。このために移動局は隣接する移動局に割り当てられている複数のサブバンドの知識を利用する。
【００５０】
したがって周波数ないしサブバンドの無線リソースは中央において基地局ＢＳによって無線通信システムＳＹＳの移動局ＭＳ１，ＭＳ２およびＭＳ３に分配されるが、時間の無線リソースを中央においてこのように分配することはアドホックモードにおいては行われない。むしろここでは、移動局ＭＳ１，ＭＳ２およびＭＳ３による時間の無線リソースへのアクセスが自己組織的に管理される。
【００５１】
ＴＤＤ（時分割多重）原理を基礎とするＩＥＥＥ８０２．１１標準による自己組織化ネットワークにおいては、２つの移動局間でのデータ伝送のための時間の無線リソースの占有ないしこのデータ伝送に関するシグナリングが図１のような無線通信システムＳＹＳにおいても中央のインスタンスによる支援なしで行われる。このために使用されるＭＡＣプロトコル（MAC: Medium Access Control）は、多重アクセス方法ＣＳＭＡ／ＣＡ（Carrier Sense Multiple Access with Collision Avoidance）を基礎としており、このことを図２に基づき以下において簡単に説明する。
【００５２】
移動局Ａ（送信側移動局）と移動局Ｂ（受信側移動局）との間でデータ伝送が実現されるべき場合には、先ず移動局Ａによって伝送周波数がリスニングされる。伝送媒体が固有の期間（Distributed Inter Frame Space, DIFS）にわたり自由である場合、すなわち周波数が目下のところ別の伝送のために使用されていない場合には、移動局Ａが送信要求制御フレームＲＴＳを送出し、この制御フレームＲＴＳは伝送すべきデータ量に関する情報を包含する。移動局Ｂが送信許可制御フレームＣＴＳにより応答すると、移動局Ａは続けてデータＤＡＴＡを伝送する。データＤＡＴＡが問題なく受信されると、移動局Ｂが適切な受信の確認ＡＣＫを送信する。これに対して移動局Ａが所定の期間内に制御フレームＣＴＳを受信しなかった場合には、移動局Ａはランダムな待機時間後に、制御フレームＲＴＳを新たに送出することによって伝送を実現することを新たに試みる。
【００５３】
伝送時の衝突を回避するために、移動局Ａの制御フレームＲＴＳも移動局Ｂの制御フレームＣＴＳも受信する他の各移動局、例えば移動局Ｃは移動局Ｂから確認ＡＣＫを受信するまで伝送媒体を使用することは許可されない。移動局Ｃが移動局Ａから制御フレームＲＴＳのみを受信する場合には、移動局Ｃは制御フレームＲＴＳにおいて通知されるデータ量を移動局Ａから移動局Ｂに伝送するために必要とされる期間にわたり伝送媒体を要求することは許されない。移動局Ｃが移動局Ｂから制御フレームＣＴＳのみを受信する場合には、移動局Ｃは移動局Ｂによって送出される確認ＡＣＫも受信するまで待機する必要がある。このようにして、移動局Ａおよび／または移動局Ｂの到達範囲内に存在し、かつ移動局Ａと移動局Ｂとの間の伝送を同じリソースの使用により妨害する可能性がある移動局が無線リソースにアクセスすることは回避される。
【００５４】
従来のＩＥＥＥ８０２．１１無線通信システムにおいては移動局にデータ伝送、ならびに制御フレームＲＴＳ，ＣＴＳおよび確認ＡＣＫの伝送のための周波数が提供されるが、図１による無線通信システムＳＹＳにおける各移動局には通常の場合相互に異なる複数のサブバンドが通信のために割り当てられる。したがってＴＤＤシステムに関して説明した図２の方法をＯＦＤＭシステムに転用することはできない。
【００５５】
以下では、移動局ＭＳ１がデータＤＡＴＡを移動局ＭＳ２に送信することを意図している場合を考察する。これに関して移動局ＭＳ１には、移動局ＭＳ２にサブバンドＳＵＢ２が割り当てられていることが既知である。反対に移動局ＭＳ２にも、移動局ＭＳ１にサブバンドＳＵＢ１が割り当てられていることが既知である。したがって移動局ＭＳ１およびＭＳ２はサブバンドＳＵＢ１またはサブバンドＳＵＢ２において通信することができるか、２つのサブバンドＳＵＢ１およびＳＵＢ２において通信することができる。
【００５６】
どのサブバンドにおいて移動局ＭＳ１から移動局ＭＳ２への前述のデータ伝送がシグナリングされるかについて決定する場合には、目下のところ他の移動局によって使用されている複数のサブバンドはそれぞれのサブバンドにおいて目下のところ行われている通信を妨害しないためにデータ伝送に使用されるべきではないということを考慮する必要がある。さらに、移動局ＭＳ１から移動局ＭＳ２へとデータを伝送するサブバンドはこの移動局ＭＳ１と移動局ＭＳ２との間のデータ伝送が妨害されることを回避するために、移動局ＭＳ２に隣接する移動局によって同じ時間に使用されないことが保証されることが望ましい。
【００５７】
移動局ＭＳ１はこの移動局ＭＳ１に割り当てられているサブバンドＳＵＢ１と、この移動局ＭＳ１に隣接する移動局ＭＳ２およびＭＳ３に割り当てられているサブバンドＳＵＢ２およびＳＵＢ３とを監視する。これによって移動局ＭＳ１は、これらの複数のサブバンドが移動局ＭＳ１の無線占有領域内の他の移動局によって目下のところ使用されているか否かを検出することができる。図３ａには、移動局ＭＳ１がサブバンドＳＵＢ１は占有されていないことを確認した場合が示されている。それぞれのサブバンドＳＵＢ１，ＳＵＢ２およびＳＵＢ３における移動局ＭＳ１，ＭＳ２およびＭＳ３による制御信号ＲＴＳないしＣＴＳの送信は、図３ａ，３ｂ，３ｃおよび３ｄでは升目内の×印によって表されており、ここでこの升目においては右に向かってサブバンドＳＵＢ１，ＳＵＢ２およびＳＵＢ３がプロットされており、また上から移動局ＭＳ１，ＭＳ２およびＭＳ３がプロットされている。
【００５８】
移動局ＭＳ１は図３ａの左側の部分において制御信号ＲＴＳをサブバンドＳＵＢ１において移動局ＭＳ２に送信し、この制御信号ＲＴＳによって前述のデータ伝送が予告される。制御信号ＲＴＳからは、どの程度のデータがどのアドレスに送信されるべきかを得ることができる。したがって制御信号ＲＴＳは前述のデータ伝送の持続時間、ならびに送信側および受信側の識別情報を包含する。
【００５９】
移動局ＭＳ２もこの移動局ＭＳ２に割り当てられているサブバンドＳＵＢ２およびこの移動局ＭＳ２に隣接する移動局に割り当てられているサブバンドを監視する。移動局ＭＳ２が制御信号ＲＴＳを受信すると、移動局ＭＳ２はこの移動局ＭＳ２の無線占有領域においてもサブバンドＳＵＢ１は占有されていないことを確認する。移動局ＭＳ２は図３ａの右側の部分において制御信号ＣＴＳをサブバンドＳＵＢ１において移動局ＭＳ１へと送信し、この制御信号ＣＴＳからは移動局ＭＳ２はデータを受信する準備ができているということを得ることができる。制御信号ＣＴＳもまた制御信号ＲＴＳのように、前述のデータ伝送の持続時間に関する情報を包含する。
【００６０】
サブバンドＳＵＢ１における制御信号ＲＴＳおよびＣＴＳの送信によって、移動局ＭＳ１およびＭＳ２の無線占有領域内の移動局は、制御信号ＲＴＳおよびＣＴＳから得ることができる期間の間にサブバンドＳＵＢ１において情報を送信することが禁止される。
【００６１】
移動局ＭＳ１による制御信号ＣＴＳの受信後に、移動局ＭＳ１はデータＤＡＴＡを予約されているサブバンドＳＵＢ１において移動局ＭＳ２に送信し、続いて移動局ＭＳ２の受信確認がやはりサブバンドＳＵＢ１において送信される。
【００６２】
移動局ＭＳ１に複数のサブバンドが割り当てられている場合には、前述の制御信号ＲＴＳおよびＣＴＳの送信はこれら複数のサブバンドの全てのサブバンドまたは部分集合において行われる。これに関して移動局ＭＳ１は、この移動局ＭＳ１に割り当てられている複数のサブバンドのうちどのサブバンドが目下のところ占有されていないかを検査する。制御信号ＲＴＳの送信は、占有されていない複数のサブバンドのうちの後にデータの送信に使用されるべきサブバンドにおいて行われることが望ましい。制御信号ＲＴＳの受信後に移動局ＭＳ２は、制御信号ＲＴＳのために使用された複数のサブバンドのうちどのサブバンドが占有されていないかを検査する。有利には制御信号ＣＴＳの送信は制御信号ＲＴＳが送信された全ての自由なサブバンドにおいて行われる。これらの複数のサブバンドの一部が占有されている場合には、制御信号ＲＴＳが送信された複数のサブバンドのうちの占有されていないサブバンドが制御信号ＲＴＳの伝送のために使用される。続いて移動局ＭＳ１は制御信号ＲＴＳが送信された複数のサブバンドにおいてデータを伝送する。しかしながら、これらの複数のサブバンドのうちの部分集合のみをデータの送信に使用することも可能である。続く受信確認の送信のためにも、制御信号ＣＴＳの全てのサブバンドまたはこれらの複数のサブバンドの部分集合を使用することが可能である。
【００６３】
図３ｂにおいては、移動局ＭＳ１がサブバンドバンドＳＵＢ１は目下のところ占有されているが、サブバンドＳＵＢ２は目下のところ占有されていないことを確認した場合を考察する。したがって移動局ＭＳ１は図３ｂの左側の部分において制御信号ＲＴＳをサブバンドＳＵＢ２で送信し、この制御信号ＲＴＳの送信に基づき移動局ＭＳ２は図３ｂの右側の部分においてサブバンドＳＵＢ２での制御信号ＣＴＳにより応答する。データ伝送ならびにデータの適切な受信の確認は同様にサブバンドＳＵＢ２において行われる。移動局ＭＳ２に複数のサブバンドが割り当てられている場合には、移動局ＭＳ１に複数のサブバンドが割り当てられている場合の上述の実施形態と同様のことが当てはまる。
【００６４】
すなわち一般的には、移動局ＭＳ１による制御信号ＲＴＳの送信を、この移動局ＭＳ１に割り当てられている１つまたは複数のサブバンドにおいても、移動局ＭＳ２に割り当てられている１つまたは複数のサブバンドにおいても、またこれらのサブバンドの任意の組み合わせにおいても行うことができる。しかしながらここでは、移動局ＭＳ１および移動局ＭＳ２に通信のために割り当てられた全てのサブバンドのうちの複数のサブバンドを目下のところ占有していない移動局ＭＳ１を考察する。しかしながら有利には移動局ＭＳ１は制御信号ＲＴＳの送信のため、また後続のデータの送信のために、この移動局ＭＳ１に割り当てられた複数のサブバンドを使用することが望ましい。これによりサブバンドの割り当てに対して権限を有する装置は、これらの複数のサブバンドが割り当てられた移動局によるそれぞれのサブバンドの負荷を評価することが容易になる。
【００６５】
制御信号ＣＴＳの送信に関しては、制御信号ＲＴＳに関することと同様に、移動局ＭＳ１に割り当てられている１つまたは複数のサブバンドも、移動局ＭＳ２に割り当てられている１つまたは複数のサブバンドも、これらのサブバンドの任意の組み合わせも使用される。しかしながらここで移動局ＭＳ２は、移動局ＭＳ１によって制御信号ＲＴＳのために使用されなかったサブバンドを使用しないことが望ましい。さらには移動局ＭＳ２によって、移動局ＭＳ１により制御信号ＲＴＳのために使用されたサブバンドを、移動局ＭＳ２の無線占有領域におけるこのサブバンドの目下の占有状態について検査することが行われる。つまり、制御信号ＣＴＳのための複数のサブバンドは目下のところ占有されていない制御信号ＲＴＳの複数のサブバンドとして生じる。
【００６６】
移動局ＭＳ１から移動局ＭＳ２へのデータの伝送に関しては制御信号ＲＴＳおよびＣＴＳに関することと同様に、移動局ＭＳ１に割り当てられている１つまたは複数のサブバンド、移動局ＭＳ２に割り当てられている１つまたは複数のサブバンド、またこれらのサブバンドの任意の組み合わせを使用することもできる。しかしながらデータ伝送が同一の複数のサブバンドでの別の伝送によって妨害されないことを保証するために、データが好適には、制御信号ＲＴＳも制御信号ＣＴＳも送信した複数のサブバンドにおいて最大限伝送される。制御信号ＲＴＳも制御信号ＣＴＳも送信した複数のサブバンドの部分集合を使用することも可能である。したがって制御信号ＣＴＳも制御信号ＲＴＳも送信しなかった複数のサブバンドが使用されることはない。
【００６７】
データの送信に関する相応の実施形態は、移動局ＭＳ２による適切なデータ受信の確認を送信するための複数のサブバンドの選択に関しても該当する。
【００６８】
図３ｃおよび図３ｄにおいては、移動局ＭＳ１が送信することを意図しているデータは移動局ＭＳ２にも移動局ＭＳ３にもアドレッシングされている場合を考察する。
【００６９】
図３ｃにおいては移動局ＭＳ１が３つのサブバンドＳＵＢ１，ＳＵＢ２およびＳＵＢ３は目下占有されていないことを確認している。制御信号ＲＴＳの送信は図３ｃの左側においてサブバンドＳＵＢ１，ＳＵＢ２およびＳＵＢ３において行われる。移動局ＭＳ２およびＭＳ３は同様に、その無線占有領域においてサブバンドＳＵＢ１，ＳＵＢ２およびＳＵＢ３は占有されていないことを確認している。これに続いて図３ｃの右側においては、移動局ＭＳ２が制御信号ＣＴＳをサブバンドＳＵＢ１およびＳＵＢ２において送信し、他方移動局ＭＳ３は制御信号ＣＴＳをサブバンドＳＵＢ１およびＳＵＢ３において送信する。制御信号ＣＴＳはサブバンドＳＵＢ１においてのみではなく、サブバンドＳＵＢ２およびＳＵＢ３においても伝送されるということは、移動局ＭＳ１がつまり相互に異なるサブバンドＳＵＢ２およびＳＵＢ３において送信される２つの制御信号ＣＴＳを相互に区別することができるという利点を有する。
【００７０】
後続のデータの送信を３つ全てのサブバンドＳＵＢ１，ＳＵＢ２およびＳＵＢ３において行うことができる。しかしながら有利にはデータはサブバンドＳＵＢ１においてのみ送信される。送信が例えばサブバンドＳＵＢ２において行われるならば、移動局ＭＳ３はその無線占有領域内のサブバンドＳＵＢ２における妨害信号によってデータの誤りのない受信が妨げられる可能性がある。何故ならば、この無線占有領域内ではサブバンドＳＵＢ２は制御信号ＣＴＳによって予約されていなかったためである。この問題を回避するために、移動局ＭＳ３に関するデータの送信をサブバンドＳＵＢ１における送信に付加的に、またはこれに択一的にサブバンドＳＵＢ３において行うことができる。移動局ＭＳ２に関しては、データがサブバンドＳＵＢ１における送信に付加的に、またはこれに択一的にサブバンドＳＵＢ２において送信される。したがってサブバンドＳＵＢ１においては、２つの移動局ＭＳ２およびＭＳ３への共通のデータ送信を行うことができ、他方サブバンドＳＵＢ２およびＳＵＢ３においてはデータが別個に移動局ＭＳ２およびＭＳ３に対して送信される。
【００７１】
移動局ＭＳ２およびＭＳ３の確認はデータの受信後に、移動局ＭＳ２に関してはサブバンドＳＵＢ２において行われ、また移動局ＭＳ３に関してはサブバンドＳＵＢ３において行われるので、移動局ＭＳ１に対する確認を相互に区別することができる。
【００７２】
図３ｄは移動局ＭＳ１がこの移動局ＭＳ１に割り当てられているサブバンドＳＵＢ１は目下のところ占有されていることを確認している場合を示す。この場合、移動局ＭＳ１は制御信号ＲＴＳを図３ｄの左側の部分において２つの移動局ＭＳ２およびＭＳ３に対してサブバンドＳＵＢ２およびＳＵＢ３で送信する。移動局ＭＳ２およびＭＳ３が、これらの移動局ＭＳ２およびＭＳ３の近傍においてもそれぞれのサブバンドＳＵＢ２およびＳＵＢ３を使用できることを確認すると、図３ｄの中央の部分に示されているように、移動局ＭＳ２は制御信号ＣＴＳをサブバンドＳＵＢ２において送信し、移動局ＭＳ３は制御信号ＣＴＳをサブバンドＳＵＢ３において送信する。
【００７３】
続いてデータ伝送を２つのサブバンドＳＵＢ２およびＳＵＢ３のいずれかにおいて行うことができるか、２つのサブバンドＳＵＢ２およびＳＵＢ３において行うことができる。しかしながらここでは、それぞれ別の移動局に割り当てられている帯域が固有の近傍領域において使用される場合には、移動局ＭＳ２およびＭＳ３に関して誤りのない受信が妨害される可能性があるという上述の問題が生じる。したがって上述したように、移動局ＭＳ２にはデータがサブバンドＳＵＢ２において伝送され、移動局ＭＳ３にはデータがサブバンドＳＵＢ３において伝送される。
【００７４】
この問題を回避する別の可能性の範囲においては、移動局ＭＳ１は移動局ＭＳ２およびＭＳ３に制御信号ＲＴＳにおいて、制御信号ＣＴＳを別の移動局ＭＳ２またはＭＳ３にそれぞれ割り当てられているサブバンドにおいても送信することを要求する。この場合においては、２つの移動局ＭＳ２およびＭＳ３は、図３ｄの右側の部分に示されているように、制御信号ＣＴＳをサブバンドＳＵＢ２およびＳＵＢ３において送信する。もっとも図３ｄの右側の処理は、制御信号ＣＴＳが同一の複数のサブバンドにおいて送信されるので、移動局ＭＳ１は２つの移動局ＭＳ２およびＭＳ３の制御信号ＣＴＳを区別することができないという欠点を有する。
【００７５】
移動局ＭＳ２およびＭＳ３によるデータ受信の確認の送信を、図３ｄの中央の部分においても、図３ｄの右側の部分においても、移動局ＭＳ２に関してはサブバンドＳＵＢ２において行うことができ、移動局ＭＳ３に関してはサブバンドＳＵＢ３において行うことができる。
【００７６】
データを複数の受信器に送信する移動局を考慮する場合には、この移動局は制御信号ＲＴＳを少なくとも複数の受信器に割り当てられている複数のサブバンドにおいて送信することが望ましい。したがって、これらの複数のサブバンドは移動局の近傍において予約されているので、制御信号ＣＴＳおよび受信器の受信確認をこれらの複数のサブバンドにおいて妨害なく伝送することでき、また移動局によって区別することができる。付加的に、この移動局に割り当てられているサブバンドが使用される場合には、制御信号ＲＴＳはこのサブバンドにおいても送信されることが望ましい。この場合このサブバンドを後にデータ伝送のために使用することができる。
【００７７】
上述の実施形態を、複数の移動局に複数のサブバンドが割り当てられている場合にも適用することができる。このために、これまで考察してきたように制御信号ＲＴＳおよびＣＴＳならびにデータを送信するために移動局毎に１つのサブバンドを使用する代わりに、移動局に割り当てられている複数のサブバンドのうちの１つまたは複数のサブバンドをそれぞれ使用することができる。有利には、制御信号ＲＴＳも全ての受信器からの制御信号ＣＴＳも送信した複数のサブバンドにおいてデータが伝送されることが望ましい。さらには、複数の受信器からの制御信号ＣＴＳは区別のために異なる複数のサブバンドにおいて送信されることが望ましい。制御信号ＲＴＳおよびＣＴＳのために使用される複数のサブバンドを相応に選択することができる。制御信号ＣＴＳに関しては、制御信号ＲＴＳを送信した移動局に、どのサブバンドにおいて制御信号ＣＴＳが送信されるかを、これらの複数のサブバンドが制御信号ＣＴＳを送信する移動局の無線占有領域内で使用できる場合に指示することが可能である。
【００７８】
図４は、移動局ＭＳ１に割り当てられている複数のサブバンドに関する情報を記憶するための手段Ｍ１と、この移動局ＭＳ１に隣接する移動局に割り当てられているサブバンドに関する情報を記憶するための手段Ｍ２とを備えた移動局ＭＳ１を示す。手段Ｍ３に基づいて移動局ＭＳ１は前述のデータ伝送を予告するために制御信号ＲＴＳを受信側移動局に送信することができ、この予告の送信は移動局ＭＳ１に割り当てられている複数のサブバンドのうちの１つまたは複数のサブバンドにおいて、および／または、受信側移動局に割り当てられている複数のサブバンドのうちの１つまたは複数のサブバンドにおいて行うことができる。手段Ｍ４は移動局ＭＳ１に割り当てられている複数のサブバンドおよび／または移動局ＭＳ１に隣接する移動局に割り当てられている複数のサブバンドを、これらの複数のサブバンドが移動局の無線占有領域内で占有されているか否かについて監視するために使用される。手段Ｍ５によって移動局ＭＳ１は、複数のサブバンドが目下のところ占有されているか否かに依存して、制御信号ＲＴＳを送信するための複数のサブバンドを選択することができる。
【００７９】
図５には、移動局ＭＳ２に割り当てられている複数のサブバンドに関する情報を記憶するための手段Ｍ７と、この移動局ＭＳ２に隣接する移動局に割り当てられている複数のサブバンドに関する情報を記憶するための手段Ｍ８とを備えた移動局ＭＳ２が示されている。手段Ｍ９に基づき移動局ＭＳ２は他の移動局の制御信号ＲＴＳを前述のデータ伝送の予告として受信することができる。手段Ｍ１０は制御信号ＣＴＳの送信に使用され、この送信は移動局ＭＳ２に割り当てられている複数のサブバンドのうちの１つまたは複数のサブバンドにおいて、および／または、他の移動局に割り当てられている複数のサブバンドのうちの１つまたは複数のサブバンドにおいて行うことができる。手段Ｍ１１は移動局ＭＳ２に割り当てられている複数のサブバンドおよび／またはこの移動局ＭＳ２に隣接する移動局に割り当てられている複数のサブバンドを、これらの複数のサブバンドがその無線占有領域内で占有されているか否かについて監視するために使用される。手段Ｍ１２によって移動局ＭＳ２は複数のサブバンドが目下のところ占有されているか否かに依存して、かつどのサブバンドが制御信号ＲＴＳのために使用されるかに依存して、制御信号ＣＴＳを送信するための複数のサブバンドを選択することができる。
【図面の簡単な説明】
【００８０】
【図１】無線通信システム。
【図２】ＩＥＥＥ８０２．１１による無線リソースへのアクセスに関する従来技術。
【図３ａ】複数のサブバンドにおける信号の本発明による送信の第１の実現形態。
【図３ｂ】複数のサブバンドにおける信号の本発明による送信の第２の実現形態。
【図３ｃ】複数のサブバンドにおける信号の本発明による送信の第３の実現形態。
【図３ｄ】複数のサブバンドにおける信号の本発明による送信の第４の実現形態。
【図４】本発明による第１の無線局。
【図５】本発明による第２の無線局。
【図１】
2007532040.tif 000003
【図２】
2007532040.tif 000004
【図３ａ】
2007532040.tif 000005
【図３ｂ】
2007532040.tif 000006
【図３ｃ】
2007532040.tif 000007
【図３ｄ】
2007532040.tif 000008
【図４】
2007532040.tif 000009
【図５】
2007532040.tif 000010
【国際調査報告】
2007532040.tif 000011
2007532040.tif 000012
2007532040.tif 000013
2007532040.tif 000014
2007532040.tif 000015
2007532040.tif 000016